(57)【要約】【課題】色再現性の高い光学シート、ディスプレイ用バックライトユニット、及びディスプレイ装置を提供する。【解決手段】  液晶ディスプレイ装置（図示せず）における視野角変化に対して色変化を抑制し色再現性を向上するためには、光学シートＡ１の色補正層７０を、基材層６０の光の出射面側及び入射面側の少なくとも一方の面に設ければ良い。図１では、図中の実線で示すように、基材層６０の光の入射面６１側に色補正層７０を設けているが、図中の破線で示すように、基材層６０の光の出射面６２側に色補正層７０を設けても良い。また、光の入射面６１側と出射面６２側との両方に色補正層７０を設けても良い。【選択図】図１
2011252963.tif 000002
【特許請求の範囲】
【請求項１】
ディスプレイの照明光の光路制御に使用される光学シートであって、前記照明光の入射面側及び出射面側のすくなくともどちらか一方の面に色補正層を有することを特徴とする光学シート。
【請求項２】
請求項１に記載の光学シートであって、前記入射面側及び前記出射面側のすくなくともどちらか一方の面に単位レンズを多数配列してなることを特徴とする光学シート。
【請求項３】
請求項２に記載の光学シートであって、前記単位レンズの面上に前記色補正層を有することを特徴とする光学シート。
【請求項４】
請求項２に記載の光学シートであって、前記単位レンズを配列した面と対向する面に前記色補正層を有することを特徴とする光学シート。
【請求項５】
表示画像を規定するディスプレイの背後に配置されるバックライトユニットであって、光源と、該光源から発せられた前記ディスプレイの照明光の光路を前記ディスプレイ側に制御する光学シートとを有しており、該光学シートとして、請求項１〜４のいずれかに記載の光学シートを備えることを特徴とするディスプレイ用バックライトユニット。
【請求項６】
画素単位での透過又は遮光に応じて表示画像を規定する背後照明型のディスプレイと、該ディスプレイの背後に配置されるバックライトユニットとを有しており、該バックライトユニットとして、請求項５に記載のディスプレイ用バックライトユニットを備えることを特徴とするディスプレイ装置。
【発明の詳細な説明】
【技術分野】
【０００１】
本発明は、照明光路制御に用いられる光学シート、ディスプレイ用バックライトユニットおよびディスプレイ装置に関するものである。特に、液晶ディスプレイに代表される背後照明型のディスプレイ装置と、該ディスプレイ装置における照明光路制御に使用される光学シート及びディスプレイ用バックライトユニットに関するものである。
【背景技術】
【０００２】
近年、ＴＦＴ（Thin Film Transistor ）型液晶パネルやＳＴＮ(Super Twisted Nematic ）型液晶パネルを使用した液晶ディスプレイ装置は、主としてＯＡ分野のカラーノートＰＣ（パーソナルコンピュータ）を中心に商品化されている。このような液晶ディスプレイ装置においては、液晶パネルの背面側（観察者と反対の側）に光源を配置し、この光源からの光で液晶パネルを照明する方式、いわゆる、バックライト方式が採用されている。この種のバックライト方式に採用されているバックライトユニットとしては、大別して冷陰極管（ＣＣＦＴ：Cold Cathode Fluorescent Tube、ＣＣＦＬ：Cold Cathode Fluorescent Lamp）等の光源ランプを、光透過性に優れたアクリル樹脂等からなる平板状の導光板内で多重反射させる「導光板ライトガイド方式」（いわゆる、エッジライト方式）と、導光板を用いずに冷陰極管（ＣＣＦＴ、ＣＣＦＬ）等の光源ランプからの光で直接照明する「直下型方式」の２種類の方式とがある。
【０００３】
導光板ライトガイド方式のバックライトユニットが搭載された液晶ディスプレイ装置としては、例えば、図１０に示すものが一般に知られている。この種の液晶ディスプレイ装置は、表裏両面を偏光板１７１、１７３で挟んでなる液晶パネル１７２の背後に、略長方形の板状を呈するＰＭＭＡ（ポリメチルメタクリレート）やアクリル等の透明な基材からなる導光板１７９が配置されており、この導光板１７９の前方（光射出側）に拡散フィルム（拡散層）１７８が設けられている。さらに、導光板１７９の背面に、導光板１７９に導入された光を効率よく液晶パネル１７２に向け均一となるように散乱して反射されるための散乱反射パターン部（図示せず）が印刷などによって設けられると共に、散乱反射パターン部の背後に反射フィルム（反射層）１７７が設けられている。
【０００４】
また、上記導光板１７９には、その側端部に光源ランプ１７６が設けられており、さらに、光源ランプ１７６の光を効率よく導光板１７９中に入射させるべく、光源ランプ１７６の背面側を覆うようにして高反射率のランプリフレクター１８１が設けられている。上記散乱反射パターン部は、白色である二酸化チタン（ＴｉＯ２  ）粉末を透明な接着剤等の溶液に混合した混合物を、所定パターン、例えばドットパターンにて印刷し乾燥、形成したものであり、導光板１７９内に入射した光に指向性を付与し、液晶パネル１７２側（光射出側）へと導くようになっている。これは高輝度化を図るための工夫である。
【０００５】
しかし、これらの液晶ディスプレイ装置では、視野角の制御が拡散フィルム１７８、１８２の拡散特性にのみ委ねられており、その制御が難しいという問題があった。例えば、正面方向から見た場合は液晶ディスプレイの表示画面は明るいが、横方向から見た場合には、表示画面が暗くなる場合があった。また、液晶ディスプレイの中心部は明るく、周辺部が暗くなるという問題もあった。このように光の利用効率が悪いという問題があった。
【０００６】
直下型方式のバックライトは、導光板の利用が困難な大型の液晶ＴＶなどのディスプレイ装置に用いられている。直下型バックライト方式のディスプレイ装置としては、図１１に示す液晶ディスプレイ装置が一般的に知られている。この液晶ディスプレイ装置は、表裏両面を偏光板１７１、１７３に挟んでなる液晶パネル１７２の背後に、蛍光管等からなる光源１５１が配置される。さらに、光源１５１の前方に拡散フィルム１８２のような光学シートが設けられている。また、光源１５１の背面には、光源１５１から液晶パネル１７２と反対の方向に向かう光を液晶パネル１７２側へ反射させるリフレクター１５２が配置されている。よって光源１５１から射出される光は拡散フィルム１８２で拡散され、この拡散光を高効率で液晶パネル１７２の有効表示エリアに集光させる。
【０００７】
しかし、図１１に示した液晶ディスプレイ装置では、視野角の制御が拡散フィルム１７３、１８２の拡散性のみに委ねられているため、その制御は難しいという問題があった。例えば、液晶表示画面を正面方向から見た場合、その表示画面は明るいが、液晶表示画面を横方向から見た場合には、その表示画面が暗くなる場合がある。また、液晶表示画面の中心部は明るく、周辺部が暗くなるという問題もあった。このように光の利用効率が悪いという問題があった。
【０００８】
そこで、上述の問題を解決する一つの方法として、図１２に示すように、米国３Ｍ社の登録商標である輝度強調フィルム（Brightness Enhancement Film ：ＢＥＦ）１８５をバックライト用照明光源１９０の前方に位置して配置し、さらに、ＢＥＦ１８５の前方である光出射面側に図示しない光拡散フィルムを配置する方法が採用されている。ＢＥＦ１８５は、図１２及び図１３に示すように、透明基材１８６の前面である光出射面に、断面が三角形状の単位プリズム１８７が一方向に一定のピッチで配列されたフィルムである。この単位プリズム１８７は光の波長に比較して大きいサイズ（ピッチ）である。ＢＥＦ１８５は、“軸外（off-axis）”からの光を集光し、この光を視聴者に向けて“軸上（on-axis ）”に“方向転換（redirect）”または“リサイクル（recycle ）”する。
【０００９】
ＢＥＦ１８５は、ディスプレイ装置の使用時（観察時）に、軸外輝度を低下させることによって軸上輝度を増大させ、ディスプレイ装置の表示品位を向上させる。ここで言う「軸上」とは、視聴者の視覚方向に一致する方向であり、一般的にはディスプレイ画面に対する法線方向である。また、ＢＥＦ１８５は、通常、単位プリズムの反復的アレイ構造が１方向のみの配列からなり、その配列方向での方向転換またはリサイクルのみが可能となる。そのため、水平方向及び垂直方向の両方向での表示光の輝度制御を行なうためには、単位プリズム群の配列方向が互いに略直交するように、２枚のＢＥＦ１８５を重ねて組み合わせて用いる必要がある。
【００１０】
そこで、最近では、光利用効率をアップして高輝度化を図るために、図１４に示すように、拡散フィルム１７８と液晶パネル１７２との間に、光集光機能を備えたプリズムフィルム（プリズム層）１７４、１７５を設けることが提案されている。このプリズムフィルム１７４、１７５は導光板１７９の光射出面から射出され、拡散フィルム１７８で拡散された光を高効率で液晶パネル１７２の有効表示エリアに集光させるものである。即ち、各プリズムフィルム１７４、１７５は、それぞれが、ＢＥＦ１８５の単位プリズム１８７のような単位プリズムの反復的アレイ構造を有しており、各プリズムフィルム１７４、１７５の単位プリズム群の配列方向は互いに略直交している。このようなプリズムフィルム１７４、１７５や図１２のＢＥＦ１８５を採用することにより、ディスプレイ設計者が電力消費を低減しながら所望の軸上輝度を達成することができるようになった。ＢＥＦ１８５やプリズムフィルム１７４、１７５に代表されるプリズムの反復的アレイ構造を有する輝度制御部材をディスプレイ装置に採用した技術は、特許文献１乃至３等において従来から知られている。
【先行技術文献】
【特許文献】
【００１１】
【特許文献１】特公平１−３７８０１号公報
【特許文献２】特開平６−１０２５０６号公報
【特許文献３】特表平１０−５０６５００号公報
【発明の概要】
【発明が解決しようとする課題】
【００１２】
近年、小型化、軽量化、省電力化設計の点で有利であることや水銀を含まないこと、高圧回路が不要であるため安全設計の負荷や高調波電流・高周波ノイズ発生の懸念が軽減されること、振動や衝撃に対する耐性に優れていること、低温起動性や調光範囲の広さの点で優れていることなど、さまざまなメリットを有するためにＬＥＤを光源とするバックライトユニットを用いた液晶ディスプレイが主流になりつつある。
【００１３】
しかしながら、色再現性においては、現在バックライト光源として用いられている疑似白色ＬＥＤの多くは、ＣＣＦＴ（ＣＣＦＬ）と比べ色調（演色性）が劣るという問題がある。これは、現在主流となっている白色ＬＥＤが、青色ＬＥＤチップによって、その補色にあたる黄色の蛍光体を励起することで白色光を実現しているためである。特に白色表示をした際に画面が黄色味を帯びてしまうことが指摘されている。
【００１４】
このため、従来の疑似白色ＬＥＤをバックライトの光源に採用した場合、広色度域タイプのカラーフィルタと組み合わせても、色再現するのに限界があり、ＲＧＢの色再現領域を十分にカバーすることは困難であった。
【００１５】
また、この問題を解決するために白色ＬＥＤの代わりにＲＧＢ三原色のＬＥＤを組み合わせる方法もあるが、三色で白色を実現するためコストが非常に高くなってしまう。
【００１６】
さらに液晶ディスプレイにおいて液晶パネルの厚み方向に電界をかけるＶＡ（Virtical Alignment）方式は液晶パネルの面方向に電界をかけるＩＰＳ（In-Plane-Switching）方式と比較して正面コントラスト比が高いため主流になっているが、ＩＰＳ方式と比較して視野角による色変化に欠点を抱えている。これは、白色表示した画面を観察した場合、相対的に正面方向は青っぽく角度の大きい方向からは赤っぽく見えてしまうといった欠点である。
【００１７】
このように、小型化、軽量化、省電力化設計の点で有利なＬＥＤをバックライトの光源に利用する上では、色再現性の面で改善の余地があり、また、液晶パネル側においても、広い視野角の確保と高輝度の画面表示を優先すると、視野角による色変化が問題として残ってしまい、やはり色再現性の面で改善の余地を残していた。
【００１８】
本発明は上述の課題を鑑みてなされたものであり、色再現性を向上することができる光学シート、該光学シートを備えたディスプレイ用バックライトユニット、及びディスプレイ装置を提供することを目的とする。
【課題を解決するための手段】
【００１９】
上記目的を達成するために請求項１の発明は、ディスプレイの照明光の光路制御に使用される光学シートであって、前記照明光の入射面側及び出射面側のすくなくともどちらか一方の面に色補正層を有することを特徴とする光学シートである。
【００２０】
請求項２の発明は、請求項１に記載の光学シートであって、前記入射面側及び前記出射面側のすくなくともどちらか一方の面に単位レンズを多数配列してなることを特徴とする光学シートである。
【００２１】
請求項３の発明は、請求項２に記載の光学シートであって、前記単位レンズの面上に前記色補正層を有することを特徴とする光学シートである。
【００２２】
請求項４の発明は、請求項２に記載の光学シートであって、前記単位レンズを配列した面と対向する面に前記色補正層を有することを特徴とする光学シートである。
【００２３】
請求項５の発明は、表示画像を規定するディスプレイの背後に配置されるバックライトユニットであって、光源と、該光源から発せられた前記ディスプレイの照明光の光路を前記ディスプレイ側に制御する光学シートとを有しており、該光学シートとして、請求項１〜４のいずれかに記載の光学シートを備えることを特徴とするディスプレイ用バックライトユニットである。
【００２４】
請求項６の発明は、画素単位での透過又は遮光に応じて表示画像を規定する背後照明型のディスプレイと、該ディスプレイの背後に配置されるバックライトユニットとを有しており、該バックライトユニットとして、請求項５に記載のディスプレイ用バックライトユニットを備えることを特徴とする表示装置。
【発明の効果】
【００２５】
上記によれば、視野角変化に対して色変化を抑制することができ、色再現性を向上することができる光学シート、該光学シートを備えるディスプレイ用バックライトユニット、及びディスプレイ装置を提供することができる。
【図面の簡単な説明】
【００２６】
【図１】本発明にかかる光学シートの実施の形態を示す概略断面図である。
【図２】本発明にかかる光学シートの別の実施の形態を示す俯瞰図である。
【図３】本発明にかかる光学シートの別の実施の形態を示す俯瞰図である。
【図４】本発明にかかる光学シートの別の実施の形態を示す俯瞰図である。
【図５】本発明にかかる光学シート及びこれを用いたバックライトユニットを具備する液晶ディスプレイ装置の実施の形態を示す概略断面図である。
【図６】本発明にかかる光学シート及びこれを用いたバックライトユニットを具備する液晶ディスプレイ装置の別の実施の形態を示す概略断面図である。
【図７】本発明の実施例における分光透過率評価結果を示す図である。
【図８】本発明の実施例における評価結果を示す図である。
【図９】本発明の実施例における評価結果を示す図である。
【図１０】従来における液晶ディスプレイ装置の一例を示す概略断面図である。
【図１１】従来における液晶ディスプレイ装置の他の例を示す概略断面図である。
【図１２】従来におけるバックライトユニットの一例を示す概略断面図である。
【図１３】従来におけるＢＥＦの一例を示す斜視図である。
【図１４】従来における液晶ディスプレイ装置のさらに他の例を示す概略断面図である。
【発明を実施するための形態】
【００２７】
以下、本発明にかかる光学シート及びこれを用いたバックライトユニット並びに当該バックライトユニットを具備する液晶ディスプレイ装置の実施の形態について図面を参照して詳細に説明する。なお、図に示す各部位の縮尺または比率は実際とは一致しない。また、これに限定されるものでもない。
【００２８】
（実施の形態１）
図１は、本発明にかかる光学シートの実施の形態を示す概略断面図である。図１に示す光学シートＡ１（請求項中の光学シートに相当）は、基材層６０と色補正層７０とを有している。
【００２９】
液晶ディスプレイ装置（図示せず）における視野角変化に対して色変化を抑制し色再現性を向上するためには、光学シートＡ１の色補正層７０を、基材層６０の光の出射面側及び入射面側の少なくとも一方の面に設ければ良い。図１では、図中の実線で示すように、基材層６０の光の入射面６１側に色補正層７０を設けているが、図中の破線で示すように、基材層６０の光の出射面６２側に色補正層７０を設けても良い。また、光の入射面６１側と出射面６２側との両方に色補正層７０を設けても良い。
【００３０】
色補正層７０は、主となる透明樹脂層中に青顔料を含有することが好ましい。このとき、青顔料としては、フタロシアニンブルー、ビクトリアブルーレーキ、ファーストスカイブルーなどが使用できる。透明樹脂は、基材層６０と同質の材質でも良いし、異なる材質でも良い。透明樹脂の材質としては、光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマーを使用しても良い。
【００３１】
光学シートＡ１の主となる基材層６０の材質としても、光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマーを使用しても良い。
【００３２】
なお、色素補正層７０の透明樹脂や基材層６０の光透過率が８８パーセント未満であると、ディスプレイ装置に用いた際に光量のロスが大きく、十分な輝度が得られない。
【００３３】
光学シートＡ１における基材層６０への色補正層７０の付与方法としては、コーティング方式、押出方式などに限るものではない。
【００３４】
（実施の形態２）
図２は、図１の光学シートＡ１に代えて用いることのできる、本発明にかかる光学シートの更に他の実施の形態を示す俯瞰図である。
【００３５】
図２に示す実施形態では、基材層６０の光の出射面６２側に複数の単位レンズ４２が配列してなる。この面６２と対向する光の入射面６１上に色補正層７０を備えた構成でも良い。
【００３６】
この実施形態では、色補正層７０の主となる透明樹脂層に対する青顔料の含有重量比は０．００１〜３．０ｗｔ％であることが望ましい。このとき、透明樹脂は、基材層６０および単位レンズ４２と同質の材質でも良いし、異なる材質でも良い。
【００３７】
なお、青顔料の含有量比が0.001ｗｔ％未満であると、ディスプレイ装置に用いた際に斜め視の色補正効果が不十分であり、3.0ｗｔ％を超えると、透過率の低下が著しくなり十分な輝度が得られない。
【００３８】
なお、図２の光学シートＡ１における単位レンズ４２の断面形状は三角プリズム形状、四角錐形状などに限定されることはない。色補正層７０、光学シートＡ１および単位レンズ４２の製造方法は、製造コストを考慮した場合、押出し方式で製造するのが好ましいが、単位レンズ４２と基材層６０とが光透過性の材料であれば異なる材料からなっても良く、基材層６０を構成する透明基材上に紫外線硬化樹脂にて単位レンズ４２を付与しても良い。
【００３９】
図２の光学シートＡ１についても、基材層６０の主となる材質としては、光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマーを使用しても良い。本実施形態の場合にも、基材層６０の光線透過率が８８％以上とする理由は、図１の実施形態の光学シートＡ１と同じである。
【００４０】
（実施の形態３）
図３は、図１の光学シートＡ１に代えて用いることのできる、本発明にかかる光学シートの更に他の実施の形態を示す俯瞰図である。
【００４１】
図３に示す実施形態では、基材層６０の光の出射面６２側に複数の単位レンズ４２が配列してなる。この面６２上に色補正層７０を備えた構成でも良い。
【００４２】
この実施形態でも、色補正層７０は、主となる透明樹脂層中に青顔料を含有することが好ましい。このとき、透明樹脂は、レンズ４２および基材層６０と同質の材質でも良いし、異なる材質でも良い。透明樹脂の材質としては、光線透過率が８８％以上であれば良い。
【００４３】
なお、図２の光学シートＡ１と同様に、図３の光学シートＡ１における単位レンズ４２の断面形状も、三角プリズム形状、四角錐形状などに限定されることはない。色補正層７０、光学シートＡ１および単位レンズ４２の製造方法も、図２の光学シートＡ１と同様に、製造コストを考慮した場合、押出し方式で製造するのが好ましいが、単位レンズ４２と基材層６０とが光透過性の材料であれば異なる材料からなっても良く、基材層６０を構成する透明基材上に紫外線硬化樹脂にて単位レンズを付与しても良い。
【００４４】
図３の光学シートＡ１についても、基材層６０の主となる材質としては、光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマーを使用しても良い。本実施形態の場合にも、基材層６０の光線透過率が８８％以上とする理由は、図１の実施形態の光学シートＡ１と同じである。
【００４５】
（実施の形態４）
図４は、図１の光学シートＡ１に代えて用いることのできる、本発明にかかる光学シートの更に他の実施の形態を示す俯瞰図である。
【００４６】
図４に示す実施形態では単位レンズ４２と基材層６０が一体となった光学シートＡ１中に青顔料を含有させて、光学シートＡ１の全体を色補正層７０としている。図４の光学シートＡ１についても、基材層６０の主となる材質としては光線透過率が８８％以上であればよく、例えばポリカーボネートもしくはアクリルもしくはアクリル−スチレン共重合体もしくはポリスチレンもしくはスチレン・ブタジエン・アクリロニトリル共重合体もしくは非晶質ポリアリレートもしくはポリエーテルスルホン、嵩高環状オレフィンポリマーを使用しても良い。本実施形態の場合にも、基材層６０の光線透過率が８８％以上とする理由は、図１の実施形態の光学シートＡ１と同じである。
【００４７】
（実施の形態５）
図５は、本発明にかかる光学シートＡ１とこれを備えたバックライトユニットならびにディスプレイ装置を示すものである。図５に示すディスプレイ装置１は、バックライトユニット２と画像表示素子としての液晶パネル３（請求項中のディスプレイに相当）とを備えている。バックライトユニット２は、ランプハウス６と光学シート組み合わせ体１２とを有している。ランプハウス６は、例えばサイドに所定間隔で配列された複数の光源ランプ１７６（請求項中の光源に相当）と、光源ランプ１７６と対面して配設された光源ランプ１７６からの照明光を垂直方向に出射する導光板１７９とで構成されている。光源ランプ１７６はＬＥＤである。
【００４８】
導光板１７９の背面には、光源ランプ１７６の照明光を垂直方向に立ち上げて正面から液晶パネル３側に出射させるための半球レンズ状のドット１８０が複数膨出形成されている。このドット１８０は、照明光の輝度が導光板１７９の前面全体で均一となるように、光源１７６に近い周縁部が粗、光源ランプ１７６から遠い中央部が密となるように配置されている。光学シート組み合わせ体１２は、導光板１７９の出射方向前方側に配設されている。光学シート組み合わせ体１２は、複数の光学シート８１，３３，Ａ１を有している。バックライトユニット２に最も近い光学シート８１は、単位レンズ４３ａを複数有する、いわゆるマイクロレンズシートであり、これに隣り合う光学シート３３は、単位レンズ４３を複数有する、いわゆるプリズムシートである。そして、最も液晶パネル３に近い光学シートＡ１は、本実施形態では図１に示す光学シートＡ１によって構成される。これらの光学シート３１，３３，８１は、光源ランプ１７６からの照明光の光路を液晶パネル３側に向かうように制御する。液晶パネル３は偏光板９、９間に液晶素子１０が挟持されて構成されている。
【００４９】
（実施の形態６，７）
図６は、本発明にかかる光学シートＡ１とこれを備えたバックライトユニットならびにディスプレイ装置を示すものである。図５に示すディスプレイ装置１は、光学シート組み合わせ体１２が２つの光学シート８１，Ａ１を有しており、光学シートＡ１が、図２又はず３に示す光学シートＡ１によって構成されている点が、図５に示す実施形態のバックライトユニット２及びディスプレイ装置と異なっている。なお、図６の光学シートＡ１に図２の光学シートＡ１を用いる場合は、図６で実線で示す光の出射面６２上の色補正層７０が省略され、図６で破線で示すように、光の入射面６１上に色補正層７０が設けられる。図６の光学シートＡ１に図３の光学シートＡ１を用いる場合は、反対に、図６で実線で示すように、光の出射面６２上に色補正層７０が設けられ、図６で破線で示す光の入射面６１上の色補正層７０が省略される。
【００５０】
以下、本発明を実施例について具体的に説明する。しかし、本発明はこれらの実施例にのみ限定されるものではない。
【実施例１】
【００５１】
＜光学シートの作製＞
フタロシアニンブルー顔料をアクリル樹脂に重量比で０．１ｗｔ％で分散させたコーティング液を２５０μｍ厚みのポリエチレンテレフタレート（ＰＥＴ）フィルム基材上に厚み２μｍでコートすることにより、図１に示す光学シートＡ１を得た。
【実施例２】
【００５２】
光の出射面側に断面三角形状単位レンズ形状を有する２５０μｍ厚みのＰＣ製光学シートの光の入射面上にフタロシアニンブルー顔料をアクリル樹脂に重量比で０．１ｗｔ％で分散させたコーティング液を厚み２μｍでコートすることにより、図２に示す光学シートＡ１を得た。
【実施例３】
【００５３】
光の出射面側に断面三角形状単位レンズ形状を有する２５０μｍ厚みのＰＣ製光学シートの単位レンズ面上にミストコーティングを用いてフタロシアニンブルー顔料をウレタンアクリレート系紫外線硬化樹脂に重量比で０．１ｗｔ％で分散させたコーティング液を製膜し、紫外線を照射し硬化させることにより、図３に示す光学シートＡ１を得た。
【００５４】
（試験例１）
＜色相、および輝度評価＞
試験例１には、評価用モニタ装置を利用した。この評価用モニタ装置は、図５に示す実施の形態５のディスプレイ装置１のように、液晶パネル３とランプハウス６との間に光学シート組み合わせ体１２が配置されている。そして、評価用モニタ装置の元々の光学シート組み合わせ体１２は、光学シート（プリズムシート）３３と光学シート（マイクロレンズシート）８１を有している。そこで、試験例１では、液晶パネル３側の光学シート３３のさらに液晶パネル３側に、図１に示す光学シートＡ１を追加して配置することで、図５に示す実施の形態５のディスプレイ装置１を構成した。この状態で、ＥＺｃｏｎｔｒａｓｔディスプレイ視野角特性測定評価装置（ＥＬＤＩＭ社製）にて光学特性測定を実施した。測定は、白色表示で行なった。正面輝度、正面白色相評価結果を図７に示す。正面白色相結果におけるｘ、ｙはＣＩＥ標準表色系の色度である。また、視野角輝度評価及び視野角白色度評価においては、水平方向にて視野方向を正面方向から左右に６０°ずつずらした場合の輝度の各低下量（Δ輝度％）及び色度の各変化量（Δｘｙ）、並びに、それぞれの平均値（Ａｖｅ．）の評価を行なった。結果を図８の表および図９に示す。図７、図８、図９における比較例には、光学シートＡ１を追加する前の、評価用ＴＶに初めから搭載されていた、導光板１７９、マイクロレンズシート８１、プリズムシート３３を用いた。
【００５５】
（試験例２〜３）
次に、試験例１と同様にして、実施例２〜３の光学シートの評価を実施した。この実施例２〜３では、評価用モニタ装置の光学シート組み合わせ体１２中の光学シート（プリズムシート）３３を、図２、図３に示す光学シートＡ１に置き換えて、図６に示す実施の形態６，７のディスプレイ装置１を構成した。そして、試験例１の場合と同様の基準でその評価を実施した。評価の結果を図７、図８、図９に示す。
【００５６】
図７、図８の各数値や図９を見ても明らかなように、試験例１〜３のディスプレイ装置１は、評価用モニタ装置と比べて、正面に対する視野方向のずれに対する輝度低下が抑制されていることが判った。また、正面から見た際の輝度や白色に代表される色再現性、ならびに、正面に対する視野方向のずれに対する色再現性の変化についても、評価用モニタ装置と比べて試験例１〜３のディスプレイ装置１が遜色ない特性を示していることが判った。
【符号の説明】
【００５７】
１…ディスプレイ装置
２…バックライトユニット
３…液晶パネル
１７６…光源ランプ
１７９…導光板
１８０…ドット
１２…光学シート組み合わせ体
Ａ１…光学シート
４２、４３、４３ａ…単位レンズ
６０…基材層
６１…入射面
６２…出射面
７０…色補正層
【図１】
2011252963.tif 000003
【図２】
2011252963.tif 000004
【図３】
2011252963.tif 000005
【図４】
2011252963.tif 000006
【図５】
2011252963.tif 000007
【図６】
2011252963.tif 000008
【図７】
2011252963.tif 000009
【図８】
2011252963.tif 000010
【図９】
2011252963.tif 000011
【図１０】
2011252963.tif 000012
【図１１】
2011252963.tif 000013
【図１２】
2011252963.tif 000014
【図１３】
2011252963.tif 000015
【図１４】
2011252963.tif 000016